(57)【要約】【課題】錠装置の取付け位置に関係なく開閉補助部材を左右方向位置に設けて、左右方向任意の位置で操作者が立ったまま解錠操作できるシャッターとする。【解決手段】シャッター枠１に沿ってシャッターカーテン３を昇降自在に設け、このシャッターカーテン３の最下部に座板４を設け、この座板４とシャッター枠１の下枠１１とに亘って錠装置５を取付け、前記座板４に操作レバー６をほぼ長手方向全長に上下回動自在に設けると共に、この操作レバー６が上方に回動すると錠装置５が解錠するようにし、前記操作レバー６に開閉補助部材７（紐７１）を設けたシャッター。このシャッターであれば、開閉補助部材７を操作する（紐７１を引く）ことで操作レバー６が上方に回動して錠装置５を解錠できるから、錠装置５の取付け位置に関係なく操作レバー６の長手方向任意の位置に開閉補助部材７（紐７１）を設けることで、左右方向任意の位置で操作者が立ったまま解錠操作できる。【選択図】        図１
2004244936.tif 000002
【特許請求の範囲】
【請求項１】
シャッター枠１に沿ってシャッターカーテン３を昇降してシャッター枠１を開放、閉塞するシャッターにおいて、
前記シャッターカーテン３の最下部に設けた座板４と、この座板４とシャッター枠１とに亘って設けた錠装置５と、前記座板４のほぼ長手方向全長に設けた操作レバー６と、この操作レバー６に設けた開閉補助部材７を備え、
前記操作レバー６は錠装置５と連動し、
前記操作レバー６を解錠方向に操作すると錠装置５が解錠し、
前記開閉補助部材７は操作者が立ったまま操作レバー６を解錠方向に操作できるものであることを特徴とするシャッター。
【請求項２】
操作レバー６は座板４に回動自在に設けられ、前記操作レバー６を上方に回動すると錠装置５が解錠し、前記開閉補助部材７を上方に操作することで操作レバー６を上方に回動できるものである請求項１記載のシャッター。
【請求項３】
開閉補助部材７は操作レバー６の長手方向に沿って移動自在で、かつ任意の位置で固定できる請求項１又は２記載のシャッター。
【請求項４】
操作レバー６に設けたガイド溝に沿って摺動自在な摺動子７４に長尺操作部材７０を上向き姿勢と下向き姿勢とに亘って移動自在に連結して開閉補助部材７とし、
前記摺動子７４をビス７５で固定するようにした請求項３記載のシャッター。
【請求項５】
長尺操作部材７０は摺動子７４に抜け止め係止される抜止部７０ａが設けられ、
摺動子７４は操作レバー６のガイド溝内を摺動する摺動片８０と、前記ガイド溝外に表出する表出片８１と、摺動片８０と表出片８１とを連結する連結片８２を備え、
長尺操作部材７０と摺動子７４を連結した際には、前記抜止部７０ａが前記摺動片８０と前記表出片８１との間に位置する請求項４記載のシャッター。
【請求項６】
操作レバー６に設けたガイド溝に沿って摺動自在な摺動子７４に操作レバー６よりも室内側に突出した横板７７を設けて開閉補助部７とし、
前記摺動子７４をビス７５で固定するようにした請求項３記載のシャッター。
【発明の詳細な説明】
【０００１】
【発明の属する技術分野】
本発明は、主として建物開口部に取付けられるシャッターに関する。
【０００２】
【従来の技術】
特許文献１に開示されたシャッターが知られている。
このシャッターは、シャッター枠とシャッターカーテンとシャッターケースを備え、前記シャッターカーテンの最下部に設けた座板の側縁とシャッター枠のガイドレール下端に亘って錠装置が取付けられ、この錠装置を解錠する操作レバーが座板の長手方向に沿って設けてあり、この操作レバーを上方に回動することで前記錠装置を解錠するものである。
特許文献２に開示されたシャッターが知られている。
このシャッターは、シャッター枠とシャッターカーテン（シャッター本体）とシャッターケースを備え、前記シャッターカーテンの最下部に設けた座板の長手方向中間部とシャッター枠下部に亘って錠装置を取付け、この錠装置を解錠する紐を設けたものである。
【０００３】
【特許文献１】
特開平８−１０９７８０号公報
【特許文献２】
特開２００１−７３６１０号公報
【０００４】
【発明が解決しようとする課題】
特許文献１に開示されたシャッターは、シャッターカーテンを閉じ状態で施錠できると共に、操作レバーを上方に回動することで解錠できる。
しかも、その操作レバーは座板の長手方向に沿って設けてあるから、座板の長手方向任意の位置で解錠操作でき、シャッターカーテンの室内側に障子を引き違いに装着した場合に、その障子を左又は右のどちらに移動して開放した際にも操作レバーを上方に回動して解錠できる。
しかし、前述のシャッターにおいては、解錠操作する場合には操作者が腰をかがめて操作レバーを上方に回動しなければならず、その解錠操作性が悪い。
【０００５】
特許文献２に開示されたシャッターは、シャッターカーテンを閉じ状態で施錠できると共に、操作者が立ったまま紐を引くことで解錠できるから、解錠操作性が良い。
しかし、前述のシャッターにおいては、錠装置に直接紐を連結してあるので、錠装置と紐が同一位置であり、しかもその紐を引くことで解錠するものであるから、その錠装置の取付け位置においてのみ解錠操作することができ、その取付け位置と離れた位置では解錠操作できないので、前述のようにシャッターカーテンの室内側に装着した引き違い障子を左又は右のどちらか一方に移動して開放した際にしか解錠できない。
例えば、座板の左寄りに錠装置を取付けた場合には障子を右に移動して開放した際にしか解錠できず、座板の右寄りに錠装置を取付けた場合には障子を左に移動して開放した際にしか解錠できない。このことを解消するには、紐の取付け位置を変えれば良いが、そのためには錠装置の取付け位置を変えなければならず、その作業が煩雑である。
【０００６】
また、前述の錠装置は座板の左右中央部に取付けることが好ましいが、このようにした場合に前述のようにシャッターカーテンの室内側に障子を引き違いに装着すると、障子を左又は右に移動して開放した際に、その障子の縦框が座板の左右中央部に位置するので、前述のように紐を引く際に縦框が邪魔になる。
【０００７】
なお、紐を斜めに引くことで縦框が邪魔にならないようにできるが、紐を斜めに引くと錠装置に斜め上向きの力が作用して解錠動作し難くなるし、錠装置を破損する恐れがあり、紐は真っ直ぐ上に引くことが好ましい。
【０００８】
本発明は、前述の課題に鑑みなされたものであり、その目的は、錠装置の取付け位置に関係なく開閉補助部材を左右方向任意の位置に取付けでき、左右方向任意の位置において操作者が立ったまま解錠操作できるようにしたシャッターを提供することを目的とする。
【０００９】
【課題を解決するための手段】
第１の発明は、シャッター枠１に沿ってシャッターカーテン３を昇降してシャッター枠１を開放、閉塞するシャッターにおいて、
前記シャッターカーテン３の最下部に設けた座板４と、この座板４とシャッター枠１とに亘って設けた錠装置５と、前記座板４のほぼ長手方向全長に設けた操作レバー６と、この操作レバー６に設けた開閉補助部材７を備え、
前記操作レバー６は錠装置５と連動し、
前記操作レバー６を解錠方向に操作すると錠装置５が解錠し、
前記開閉補助部材７は操作者が立ったまま操作レバー６を解錠方向に操作できるものであることを特徴とするシャッターである。
【００１０】
第２の発明は、第１の発明において操作レバー６は座板４に回動自在に設けられ、前記操作レバー６を上方に回動すると錠装置５が解錠し、前記開閉補助部材７を上方に操作することで操作レバー６を上方に回動できるものであるシャッターである。
【００１１】
第３の発明は、第１又は２の発明において開閉補助部材７は操作レバー６の長手方向に沿って移動自在で、かつ任意の位置で固定できるシャッターである。
【００１２】
第４の発明は、第３の発明において操作レバー６に設けたガイド溝に沿って摺動自在な摺動子７４に長尺操作部材７０を上向き姿勢と下向き姿勢とに亘って移動自在に連結して開閉補助部材７とし、
前記摺動子７４をビス７５で固定するようにしたシャッターである。
【００１３】
第５の発明は、第４の発明において長尺操作部材７０は摺動子７４に抜け止め係止される抜止部７０ａが設けられ、
摺動子７４は操作レバー６のガイド溝内を摺動する摺動片８０と、前記ガイド溝外に表出する表出片８１と、摺動片８０と表出片８１とを連結する連結片８２を備え、
長尺操作部材７０と摺動子７４を連結した際には、前記抜止部７０ａが前記摺動片８０と前記表出片８１との間に位置するシャッターである。
【００１４】
第６の発明は、第３の発明において操作レバー６に設けたガイド溝に沿って摺動自在な摺動子７４に操作レバー６よりも室内側に突出した横板７７を設けて開閉補助部７とし、
前記摺動子７４をビス７５で固定するようにしたシャッターである。
【００１５】
【作  用】
第１の発明によれば、シャッターカーテン３が下降して施錠された状態で、操作者が立ったまま開閉補助部材７を操作して操作レバー６を解錠方向に移動することによって解錠される。
また、座板４のほぼ長手方向全長に設けた操作レバー６に開閉補助部材７が設けてあるから、錠装置５の取付け位置に関係なく開閉補助部材７を座板４の左右方向（長手方向）任意の位置に設けることができる。よって左右方向任意の位置で操作者が立ったまま解錠操作できる。
例えば、シャッターカーテン３よりも室内側寄りに障子を左右引き違いに装着した場合に、錠装置５の取付け位置を変えずに開閉補助部材７のみを障子の開放方向（左又は右）に応じた位置に設け、左右どちらに開放する際でも解錠操作できる。
【００１６】
第２の発明によれば、操作レバー６の解錠操作方向と、開閉補助部材７の解錠操作方向と、シャッターカーテン３の開放方向とが略同一方向の為、解錠操作し易いと共に解錠操作後に引き続き開閉補助部材７でシャッターカーテン３を開放操作できる。
【００１７】
第３の発明によれば、開閉補助部材７を障子の開放方向に応じた位置に取付位置を変更し易いと共に、固定できることから取付後に取付位置がずれる事がない。
【００１８】
第４の発明によれば、シャッターカーテン３を下降してシャッター枠１を閉塞した状態において、腰をかがめて座板４に設けられた操作レバー６を操作しなくても立ったまま長尺操作部材７０を手で持って操作することで解錠できる。
また、シャッターカーテン３を上昇してシャッター枠１を開放した状態においても、手を伸ばして座板４に設けられた操作レバー６を操作しなくても長尺操作部材７０を手で持って操作することでシャッターカーテンを下降できる。
更に、摺動子７４を操作レバー６のガイド溝に沿って摺動することで長尺操作部材７０をスムーズに左右に移動できると共に、ビス７５で摺動子７４を固定することで長尺操作部材７０を取付位置に強固に固定できる。
【００１９】
第５の発明によれば、長尺操作部材７０の抜止部７０ａが表出片８１と摺動片８０の間に位置し、前記抜止部７０ａが表出片８１の室内側面に露出しない為、意匠性が良い。
【００２０】
第６の発明によれば、操作者が足で横板７７を操作することで操作レバー６を操作できる。
また、横板７７を踏みつけることでシャッターカーテン３を下降して施錠できる。
更に、摺動子７４を操作レバー６のガイド溝に沿って摺動することで横板７７をスムーズに左右に移動できると共に、ビス７５で摺動子７４を固定することで横板７７を取付位置に強固に固定できる。
【００２１】
【発明の実施の形態】
図１と図２に示すように、シャッター枠１と、このシャッター枠１の上部に設けた巻き取り繰り出し部２と、この巻き取り繰り出し部２で巻き取り、繰り出しされるシャッターカーテン３がシャッターの基本構成である。
すなわち、シャッターはシャッター枠１に沿ってシャッターカーテン３を昇降してシャッター枠１を開放、閉塞するものである。
【００２２】
前記シャッターは、前記シャッターカーテン３の最下部に設けた座板４と、錠装置５と、前記座板４に設けた操作レバー６と、この操作レバー６に設けた開閉補助部材７を備えている。
【００２３】
前記シャッター枠１は建物開口部の開口縁に沿って取付けられ、前記シャッターカーテン３を昇降自在にガイドする。
前記巻き取り繰り出し部２はシャッターカーテン３を巻き取る方向に付勢され、外力によってシャッターカーテン３が繰り出しされる。
前記シャッターカーテン３は、前記巻き取り繰り出し部２で巻き取られることで図２に示すように上昇してシャッター枠１を開放し、下向きに引張ることで繰り出しされてシャッター枠１に沿って下降してシャッター枠１を閉塞する。
前記錠装置５はシャッター枠１の下部と座板４とに亘って取付けられ、シャッターカーテン３が下降してシャッター枠１を閉塞すると施錠し、操作レバー６が解錠方向に移動、例えば上方に回動すると解錠される。
前記操作レバー６は座板４のほぼ長手方向全長、好ましくは全長に解錠方向に移動自在、例えば上下回動自在に取付けてある。
【００２４】
前記開閉補助部材７は、操作者が立ったまま操作レバー６を解錠方向に操作できるものである。例えば上方に操作することで操作レバー６を上方に回動できるものである。
例えば、操作レバー６に長尺操作部材７０を、図１に示すように上向き姿勢と図２に示すように下向き姿勢とに亘って移動自在に取付けたものである。
前記長尺操作部材７０としては紐７１が用いられる。この紐７１の一端部を操作レバー６に設け、この紐７１の他端部に磁石７２を備えた摘み７３を連結したもので、その磁石７２を図１に示すようにシャッターカーテン３に吸着することで上向き姿勢とし、図２に示すように垂れ下げることで下向き姿勢とする。
この長尺操作部材７０は紐７１に限ることはなく棒状長尺材であっても良い。
【００２５】
このようであるから、図１に示すように長尺操作部材７０を上向き姿勢としてシャッターカーテン３を施錠状態とすることにより、操作者は立ったまま長尺操作部材７０を手で持って引くことで、操作レバー６が上方に回動して錠装置５を解錠できる。
また、操作レバー６は座板４のほぼ長手方向全長に沿って設けてあるから、長尺操作部材７０を錠装置５の左右方向の取付け位置に関係なく左右方向任意の位置に取付けることができる。例えば、錠装置５を左右中央部に取付け、左右どちらか一方寄りに長尺操作部材７０を取付けて、左右どちらか一方寄りから解錠操作できる。
【００２６】
前述のようにして解錠操作した後に長尺操作部材７０を更に引くことでシャッターカーテン３が上昇し、ある程度の高さまで上昇したら手で押し上げることでシャッターカーテン３を上昇して全開とすることができ、その操作がやり易い。
【００２７】
また、シャッターカーテン３が全開した状態で長尺操作部材７０を図２に示すように下向き姿勢とすることにより、その長尺操作部材７０を引くことでシャッターカーテン３を下降することができ、子供など身長が低い操作者でも容易にシャッターカーテン３を下降することができる。
【００２８】
次に、各部材の具体形状の一例を説明するが、これに限ることはない。
前記シャッター枠１は上枠１０と下枠１１と左右の縦枠１２を有し、その左右の縦枠１２はシャッターカーテン３を昇降自在にガイドするガイド部、例えばガイドレール１３を備えている。
この実施の形態では、図３に示すように引き違いサッシ窓のサッシ枠における縦枠の室外側部にガイドレール１３を取付けてシャッター枠１としてあり、シャッター枠１はその室内側部に障子が引き違いに装着できると共に、その室外側部にシャッターカーテン３が昇降自在に設けられ、シャッター付きサッシ窓を形成している。
これに限ることはなく、シャッター枠１とサッシ枠を別々とし、シャッター枠１を建物開口部に直接取付けるようにしても良い。
【００２９】
前記巻き取り繰り出し部２は、シャッター枠１の上部に回転自在に設けた巻取りドラム２０を備え、この巻取りドラム２０にシャッターカーテン３の最上部を連結すると共に、巻取り方向に回転付勢したものである。
また、巻取りドラム２０はシャッターボックス２１で覆われ、室外側から見えないようにしてある。
前記シャッターボックス２１は図３に示すように縦枠１２の上枠１０から突出した部分と、上面板２２と、側面板２３と、カバー２４で形成され、そのカバー２４は開閉自在である。
前記カバー２４の下部室内側部と上枠１０の室外側部との間にシャッターカーテン３が出入する開口部２５が形成してある。
【００３０】
前記シャッターカーテン３は複数のスラット３０を連結したもので、その最下部のスラット３０に座板４が設けてあり、最上部のスラット３０が前記巻取りドラム２０に連結される。
前記座板４はスラット３０とほぼ同一長さ、好ましくは同一長さで、前記ドア枠１、例えばガイドレール１３に沿って昇降自在にガイドされる。
【００３１】
前記座板４の室内側面４ａにおける長手方向両端寄り部分に巻き込み防止ストッパ４０が図１に示すようにそれぞれ設けてあり、この巻き込み防止ストッパ４０が図３に示すように上枠１０に当接してシャッタースラット３の巻き取りエンドを規制し、シャッタースラット３が必要以上に巻取りドラム２０に巻き込まれることを防止する。
前記座板４の室内側面４ａに図３、図４に示すように突条４１が長手方向に連続して設けられ、この突条４１は断面ほぼ円形状であるが、矩形状、多角形状などの断面形状でも良い。
前記座板４の室内側面４ａには下向き鉤片４２が長手方向に連続して設けられ、この下向き鉤片４２と室内側面４ａで下向き凹部４３を形成している。
【００３２】
前記錠装置５は座板４の室内側面４ａに取付けた錠本体５０と下枠１１に取付けた錠受け５１を備えている。
前記錠本体５０は図４に示すように、ベース５２と、このベース５２に沿って上下動するスライダー５３と、前記ベース５２に軸５４で施錠姿勢と解錠姿勢とに回動自在に支承した錠鎌５５と、この錠鎌５５を解錠姿勢に回動付勢するスプリング５６を備えている。
前記錠受け５１はピン５７を備えている。
【００３３】
次に動作を説明する。
前記錠鎌５５が解錠姿勢で下降すると、錠鎌５５のロック溝５５ａの先端部５５ｂがピン５７に当接し、さらに下降すると錠鎌５５が施錠姿勢に向けて回動し、これと同時に錠鎌５５に設けたカム５８のカム面５８ａがスライダー５３の突片５３ａに接してスライダー５３を押し上げる。そして錠鎌５５が施錠姿勢となると図５に示すようにロック溝５５ａがピン５７を係止して施錠すると共に、カム５８が突片５３ａを越え、スライダー５３が下降して突片５３ａにカム５８の端面５８ｂが干渉して錠鎌５５がスプリング５６で解錠姿勢に回動しないように保持する。
【００３４】
前述の状態でスライダー５３に上向き力を与えて上方に移動すると突片５３ａがカム５８の端面５８ｂと離れ、錠鎌５５がスプリング５６によって解錠姿勢に回動する。
スライダー５３の上向き力を解除するとスプリング５６で下方に移動して図４に示すように突片５３ａがカム５８のカム面５８ａに当接する。
【００３５】
このようであるから、前記錠装置５は座板４を下降してシャッターカーテン３でシャッター枠１を閉塞すると自動的に施錠され、スライダー５３を上方に移動することで解錠する。
【００３６】
この実施の形態では、錠本体５０が座板４の長手方向中央部に位置し、そのベース５２は下向き鉤片４２の上面４２ａに取付けられ、その上面４２ａに形成した開口部４２ｂから錠鎌５５が下向き凹部４３内に突出している。
また、図１、図２、図３ではベース５２にカバー５９が取付けてあり、スライダー５３、スプリング５６、カム５８等が見えないようにしてある。
なお、図４、図５ではカバー５９を取り外してスライダー５３、スプリング５６、カム５８等が見えるようにして動作を理解し易くしてある。
【００３７】
前記操作レバー６は、図１に示すように錠本体５０と左右の巻き込み防止ブロック４０との間にそれぞれ設けてあり、図４に示すように、この左右の操作レバー６に跨って取付けた杆体６０がスライダー５３の横片５３ｂの下に位置し、左右どちらか一方の操作レバー６を上方に回動すると杆体６０が上方に移動してスライダー５３が上方に移動するようにしてある。
【００３８】
前記錠装置５は前述のものに限ることはなく、前述した特許文献１に開示されたもの、特許文献２に開示されたもの等でも良い。
つまり、錠装置５は座板４とシャッター枠１の下部とに亘って取付けられ、シャッターカーテン３を下降してシャッター枠１を閉塞すると自動的に施錠され、操作レバー６を解錠方向に操作、例えば上方に回動することで解錠するものであればよい。
【００３９】
前記操作レバー６は図４に示すように室外側部に凹陥部６１を長手方向に連続して有し、この凹陥部６１を前記座板４の突条４１に長手方向からスライドして挿入することで上下回動自在に取付けられる。前記凹陥部６１は断面ほぼ円形が好ましいが、矩形状、多角形状でも良い。
前記操作レバー６の室内側部にはガイド溝、例えばあり溝６２を長手方向に連続して有する。
【００４０】
前記長尺操作部材７０の一端部は操作レバー６の長手方向に沿って移動自在で、かつ任意の位置に固定できるように設けてある。
例えば、図６に示すように操作レバー６のあり溝６２に摺動子７４を摺動自在に設け、この摺動子７４に長尺操作部材７０（紐７１）の一端部を連結してある。図６においては摺動子７４は突出片７４ａを有し、この突出片７４ａの孔７４ｂに紐７１を挿通して結ぶことで抜けないようにすることで連結してある。
前記摺動子７４を摺動しないように固定することで長尺操作部材７０を任意の位置に設ける。
例えば、図４に示すように摺動子７４にビス７５を螺合し、そのビス７５をあり溝６２の表面に押しつけることで摺動しないように固定する。
【００４１】
前述の摺動子７４を座板４部分に嵌合して操作レバー６を上方に回動しないようにすることで補助錠とすることができる。
例えば、図７に示すように巻き込み防止ストッパ４０に穴４０ａをあり溝６２と対向して形成し、仮想線で示すようにこの穴４０ａに摺動子７４を嵌合して操作レバー６が上方に回動しないようにロックする。
この場合には摺動子７４を長くして穴４０ａに嵌合する部分を長くすることが好ましい。
また、穴４０ａに嵌合した状態でビス７５を締付けて固定すれば、より一層確実に操作レバー６の上方への回動を防止できる。
【００４２】
次に、摺動子７４と長尺操作部材７０の連結の第２の実施の形態を説明する。
図８に示すように、前記摺動子７４を摺動片８０と、表出片８１と、その摺動片８０と表出片８１を連結する連結片８２を備えたもの、例えばＨ字形状のものとする。
前記摺動片８０と表出片８１に孔８０ａ，８１ａを対向して形成し、連結片８２の各孔８０ａ，８１ａと対向した部分に切欠部８２ａを形成する。
前記長尺操作部材７０の一端部に抜止部７０ａを設ける。例えば紐７１の一端部を結び、その結び部７１ａを抜止部７０ａとする。
前記摺動片８０の孔８０ａを抜止部７０ａよりも大きくし、前記表出片８１の孔８１ａを抜止部７０ａよりも小さくし、かつ長尺操作部材７０の径よりも大きくすることで、長尺操作部材７０を、その他端部から摺動片８０の孔８０ａ、表出片８１の孔８１ａに挿通して図９に示すように抜止部７０ａを表出片８１の裏面（摺動片８０と対向する面）に当接して抜けないようにして抜止部７０ａを摺動片８０と表出片８１との間に位置させ長尺操作部材７０と摺動子７４を連結する。
【００４３】
前記摺動片８０を操作レバー６のあり溝６２内に摺動自在に設けると共に、表出片８１をあり溝６２外に表出することで摺動子７４をあり溝６２に沿って長手方向に摺動自在とする。
前記表出片８１を摺動片８０よりも長くし、その突出した部分にビス挿通孔８３を形成し、摺動片８０と隣接してあり溝６２内に裏板８４を摺動自在に設け、前記ビス７５をビス挿通孔８３を挿通して裏板８４に螺合する。
そして、このビス７５を締付けることで摺動子７４を固定し、弛めることで摺動するようにする。
【００４４】
このようにすれば、長尺操作部材７０の抜止部７０ａが表出片８１の室内側面に露出しないために意匠性が良い。
【００４５】
前記開閉補助部材７は図１０と図１１に示すように操作レバー６よりも室内側に突出する横向部材７６であっても良い。
このようにすれば、操作者が足で横向部材７６を上に押し上げることで操作レバー６が上方に回動するので、操作者が立ったまま解錠操作できる。
また、シャッターカーテン３を下降する時に横向部材７６を足で踏むことで押し下げできるので、操作者が立ったまま確実に施錠操作できる。
【００４６】
前記横向部材７６の一例を説明する。
前記操作レバー６のあり溝６２に設けた前述の摺動子７４に横板７７を設けて横向部材７６とする。
このようにすることで、前述と同様に横向部材７６を操作レバー６の長手方向に沿って移動できるし、任意の位置でビス７５で固定することで任意の位置に設けることができる。
しかも、その摺動子７４を前述したように補助錠として利用できる。
【００４７】
前述の各実施の形態では摺動子７４をビス７５で固定したが、摺動子７４のあり溝６２に沿って摺動する抵抗を大きくして振動などで摺動子７４が動くことがないようにしても良い。
例えば、図１２に示すように摺動子７４の裏面に板ばね９０を取付け、その板ばね９０が操作レバー６のあり溝６２の底面６２ａに接し、摺動子７４の表面があり溝６２の開口側内面６２ｂに押しつけられることで、摺動抵抗を大きくする。
この場合には、摺動子７４の両端部に折り曲げ片７４ｃを設け、この折り曲げ片７４ｃに穴９１を形成する。前記板ばね９０の両端部に突片９２を設け、この突片９２を穴９１に係合して板ばね９０を取付ける。
【００４８】
また、図１３に示すように摺動子７４の上下に突起９３を設け、この突起９３に穴９４を形成して突起９３が弾性を有するものとする。
そして、操作レバー６のあり溝６２の上下内面６２ｃに突起９３を押しつけることで摺動抵抗を大とする。
前記突起９３は、ほぼ山形状であるが円弧形状、台形状などでも良い。
【００４９】
【発明の効果】
請求項１に係る発明によれば、シャッターカーテン３が下降して施錠された状態で、操作者が立ったまま開閉補助部材７を操作して操作レバー６を解錠方向に移動することによって解錠される。
また、座板４のほぼ長手方向全長に設けた操作レバー６に開閉補助部材７が設けてあるから、錠装置５の取付け位置に関係なく開閉補助部材７を座板４の左右方向（長手方向）任意の位置に設けることができる。よって左右方向任意の位置で操作者が立ったまま解錠操作できる。
例えば、シャッターカーテン３よりも室内側寄りに障子を左右引き違いに装着した場合に、錠装置５の取付け位置を変えずに開閉補助部材７のみを障子の開放方向（左又は右）に応じた位置に設け、左右どちらに開放する際でも解錠操作できる。
【００５０】
請求項２に係る発明によれば、操作レバー６の解錠操作方向と、開閉補助部材７の解錠操作方向と、シャッターカーテン３の開放方向とが略同一方向の為、解錠操作し易いと共に解錠操作後に引き続き開閉補助部材７でシャッターカーテン３を開放操作できる。
【００５１】
請求項３に係る発明によれば、開閉補助部材７を障子の開放方向に応じた位置に取付位置を変更し易いと共に、固定できることから取付後に取付位置がずれる事がない。
【００５２】
請求項４に係る発明によれば、シャッターカーテン３を下降してシャッター枠１を閉塞した状態において、腰をかがめて座板４に設けられた操作レバー６を操作しなくても立ったまま長尺操作部材７０を手で持って操作することで解錠できる。
また、シャッターカーテン３を上昇してシャッター枠１を開放した状態においても、手を伸ばして座板４に設けられた操作レバー６を操作しなくても長尺操作部材７０を手で持って操作することでシャッターカーテンを下降できる。
更に、摺動子７４を操作レバー６のガイド溝に沿って摺動することで長尺操作部材７０をスムーズに左右に移動できると共に、ビス７５で摺動子７４を固定することで長尺操作部材７０を取付位置に強固に固定できる。
【００５３】
請求項５に係る発明によれば、長尺操作部材７０の抜止部７０ａが表出片８１と摺動片８０の間に位置し、前記抜止部７０ａが表出片８１の室内側面に露出しない為、意匠性が良い。
【００５４】
請求項６に係る発明によれば、操作者が足で横板７７を操作することで操作レバー６を操作できる。
また、横板７７を踏みつけることでシャッターカーテン３を下降して施錠できる。
更に、摺動子７４を操作レバー６のガイド溝に沿って摺動することで横板７７をスムーズに左右に移動できると共に、ビス７５で摺動子７４を固定することで横板７７を取付位置に強固に固定できる。
【図面の簡単な説明】
【図１】シャッターカーテンを下降した状態の斜視図である。
【図２】シャッターカーテンを上昇した状態の斜視図である。
【図３】シャッターの詳細縦断面図である。
【図４】座板の錠本体取付け部分の斜視図である。
【図５】座板の錠本体取付け部分の正面図である。
【図６】紐取付け部の拡大断面図である。
【図７】補助錠として利用した場合の座板長手方向一端寄り部分の斜視図である。
【図８】摺動子と長尺操作部材の連結の第２の実施の形態を示す分解斜視図である。
【図９】操作レバーに取付けた状態の一部破断側面図である。
【図１０】座板の横向部材取付部の斜視図である。
【図１１】座板の横向部材取付部の断面図である。
【図１２】摺動子の取付けの第２の実施の形態を示す側面図である。
【図１３】摺動子の取付けの第３の実施の形態を示す側面図である。
【符号の説明】
１…シャッター枠、２…巻き取り繰り出し部、３…シャッターカーテン、４…座板、５…錠装置、６…操作レバー、７…開閉補助部材、５０…錠本体、５１…錠受け、６２…あり溝（ガイド溝）、７０…長尺操作部材、７０ａ…抜止部、７１…紐、７４…摺動子、７５…ビス、７６…横向部材、７７…横板、８０…摺動片、８１…表出片、８２…連結片。
【図１】
2004244936.tif 000003
【図２】
2004244936.tif 000004
【図３】
2004244936.tif 000005
【図４】
2004244936.tif 000006
【図５】
2004244936.tif 000007
【図６】
2004244936.tif 000008
【図７】
2004244936.tif 000009
【図８】
2004244936.tif 000010
【図９】
2004244936.tif 000011
【図１０】
2004244936.tif 000012
【図１１】
2004244936.tif 000013
【図１２】
2004244936.tif 000014
【図１３】
2004244936.tif 000015